(57)【要約】【課題】  ネットワーク負荷を軽減することができ、ユーザーの作業時間を削減することができるデジタルカメラ画像処理装置を提供する。【解決手段】  デジタルカメラ画像取得部１０１、マークアップ言語変換処理部１０２、圧縮アーカイブ作成部１０３、印刷データ蓄積部１０４、ＧＵＩ１０５、レイアウト処理部１０６、同期処理部１０７を備えたデジタルカメラ画像処理装置。【選択図】        図１
2006190217.tif 000002
【特許請求の範囲】
【請求項１】
マークアップ言語を用いて複数画像の位置・サイズ情報を表現し、実際の画像ファイルを１つの圧縮アーカイブにまとめて、上記マークアップ言語のデータ構造を解析するモジュールを搭載している画像形成装置に送信する制御手段を有することを特徴とするデジタルカメラ画像処理装置。
【請求項２】
請求項１記載のデジタルカメラ画像処理装置において、前記制御手段は前記デジタルカメラからデジタルカメラ画像を取得するデジタルカメラ画像取得部と、ＧＵＩで選択された画像ファイル名・レイアウト情報・印画紙の背景色情報・フォトフレーム情報を同期処理部から受信し、このデータに基づいてマークアップ言語データを作成するマークアップ言語変換処理部と、前記同期処理部から圧縮アーカイブ作成スタート通知を受信したら、印刷データ蓄積部に置いてある画像ファイル・マークアップ言語データを取得し圧縮アーカイブを作成する圧縮アーカイブ作成部と、レイアウト処理部でリサイズした画像データを蓄積する印刷データ蓄積部と、ユーザーによってデジタルカメラ画像取得部にデジタルカメラから画像を取得する操作を実行するＧＵＩと、前記ＧＵＩで選択された画像をＧＵＩで選択された画像解像度・画像サイズでリサイズし、前記印刷データ蓄積部に保存するレイアウト処理部と、前記ＧＵＩ上でユーザーが設定を変更する度に変更情報を受信する同期処理部と、を備えたことを特徴とするデジタルカメラ画像処理装置。
【請求項３】
請求項１記載のデジタルカメラ画像処理装置において、デジタルカメラ画像複数印刷情報をマークアップ言語データに同時変換し、画像やレイアウト情報を変更する場合、データ構造を更新し、常に同期をとることを特徴とするデジタルカメラ画像処理装置。
【請求項４】
請求項３記載のデジタルカメラ画像処理装置において、解像度・写真サイズを幾つかの規定の大きさから選択することを特徴とするデジタルカメラ画像処理装置。
【請求項５】
請求項４記載のデジタルカメラ画像処理装置において、印刷する印画紙の背景色を選択することを特徴とするデジタルカメラ画像処理装置。
【請求項６】
請求項５記載のデジタルカメラ画像処理装置において、各写真についてフォトフレームを選択することを特徴とするデジタルカメラ画像処理装置。
【請求項７】
請求項６記載のデジタルカメラ画像処理装置において、日付・番号を含むデータを追加することを特徴とするデジタルカメラ画像処理装置。
【請求項８】
請求項１乃至７の何れか一項に記載のデジタルカメラ画像処理装置がデジタルカメラと画像処理装置に接続されているデジタルカメラダイレクト印刷システム。
【発明の詳細な説明】
【技術分野】
【０００１】
本発明は、デジタルカメラ画像処理装置（以下、デジタルカメラツール）及びデジタルカメラダイレクト印刷システムに関する。
【背景技術】
【０００２】
デジタルカメラツールがインストールされたＰＣに対して、デジタルカメラと画像形成装置を接続し、デジタルカメラで取得した画像をデジタルカメラツールで処理して画像形成装置で出力するデジタルカメラダイレクト印刷システムが普及している。
【発明の開示】
【発明が解決しようとする課題】
【０００３】
しかしながら、上記デジタルカメラダイレクト印刷システムにおいて次のような問題点があった。即ち、デジタルカメラ画像を複数枚印刷する場合は、画像形成装置ドライバまたはツールを介して１枚ずつ画像を画像形成装置に送信していた。この方式は画像データが重いため、ネットワークへの負荷が大きく、複数枚の画像データの転送に時間がかかっていた。また転送している間ＰＣ上で他の作業をする場合の効率が悪くなっていた。
本発明は、ネットワーク負荷を軽減することができ、ユーザーの作業時間を削減することができるデジタルカメラ画像処理装置及びデジタルカメラダイレクト印刷システムを提供することを目的とする。
【課題を解決するための手段】
【０００４】
上記目的を達成するために、請求項１記載の発明は、マークアップ言語を用いて複数画像の位置・サイズ情報を表現し、実際の画像ファイルを１つの圧縮アーカイブにまとめて、上記マークアップ言語のデータ構造を解析するモジュールを搭載している画像形成装置に送信する制御手段を有するデジタルカメラ画像処理装置を最も主要な特徴とする。
請求項２記載の発明は、請求項１記載のデジタルカメラ画像処理装置において、前記制御手段は、前記デジタルカメラからデジタルカメラ画像を取得するデジタルカメラ画像取得部と、ＧＵＩで選択された画像ファイル名・レイアウト情報・印画紙の背景色情報・フォトフレーム情報を同期処理部から受信し、このデータに基づいてマークアップ言語データを作成するマークアップ言語変換処理部と、前記同期処理部から圧縮アーカイブ作成スタート通知を受信したら、印刷データ蓄積部に置いてある画像ファイル・マークアップ言語データを取得し圧縮アーカイブを作成する圧縮アーカイブ作成部と、レイアウト処理部でリサイズした画像データを蓄積する印刷データ蓄積部と、ユーザーによってデジタルカメラ画像取得部にデジタルカメラから画像を取得する操作を実行するＧＵＩと、前記ＧＵＩで選択された画像をＧＵＩで選択された画像解像度・画像サイズでリサイズし、前記印刷データ蓄積部に保存するレイアウト処理部と、前記ＧＵＩ上でユーザーが設定を変更する度に変更情報を受信する同期処理部と、を備えたことを特徴とする。
請求項３記載の発明は、請求項１記載のデジタルカメラ画像処理装置において、デジタルカメラ画像複数印刷情報をマークアップ言語データに同時変換し、画像やレイアウト情報を変更する場合、データ構造を更新し、常に同期をとるデジタルカメラ画像処理装置を主要な特徴とする。
【０００５】
請求項４記載の発明は、請求項３記載のデジタルカメラ画像処理装置において、解像度・写真サイズを幾つかの規定の大きさから選択するデジタルカメラ画像処理装置を主要な特徴とする。
請求項５記載の発明は、請求項４記載のデジタルカメラ画像処理装置において、印刷する印画紙の背景色を選択するデジタルカメラ画像処理装置を主要な特徴とする。
請求項６記載の発明は、請求項５記載のデジタルカメラ画像処理装置において、各写真についてフォトフレームを選択するデジタルカメラ画像処理装置を主要な特徴とする。
請求項７記載の発明は、請求項６記載のデジタルカメラ画像処理装置において、日付・番号を含むデータを追加するデジタルカメラ画像処理装置を主要な特徴とする。
請求項８記載の発明は、請求項１乃至７の何れか一項記載のデジタルカメラ画像処理装置がデジタルカメラと画像処理装置に接続されているデジタルカメラダイレクト印刷システムを最も主要な特徴とする。
【発明の効果】
【０００６】
本発明では、マークアップ言語を用いて複数画像の位置・サイズ情報を表現し、実際の画像ファイルを１つの圧縮アーカイブにまとめて画像形成装置に送信することで、ネットワーク負荷を軽減することができ、ユーザーの作業時間を削減することができる。
【発明を実施するための最良の形態】
【０００７】
以下、本発明の実施の形態を図面に従って説明する。
図１は本発明の実施の形態に係るデジタルカメラダイレクト印刷システムの構成図である。
画像形成装置ドライバとしてのデジタルカメラツール１００は、ＰＣ２００にインストールされている。ＰＣ２００は、入力装置３００から入力を受信する。入力装置３００は、ユーザーの操作信号を送るために用いる。またＰＣ２００は、画像形成装置４００と双方向通信をしており、互いの情報交換を行っている。また画像形成装置４００は、描画オブジェクト分割記述言語を受信・解析描画を行う。デジタルカメラ５００はＰＣ２００に接続可能で、ＰＣ２００からデジタルカメラ５００上の画像データを取得する。
デジタルカメラツール１００内の機能について説明する。
デジタルカメラ画像取得部１０１は、デジタルカメラ５００からデジタルカメラ画像を取得する。マークアップ言語変換処理部１０２は、ＧＵＩ（Graphical User Interface）１０５で選択された画像ファイル名・レイアウト情報・印画紙の背景色情報・フォトフレーム情報を同期処理部１０７から受信し、このデータに基づいてマークアップ言語データを作成する。作成したデータを印刷データ蓄積部１０４に保存する。
圧縮アーカイブ作成部１０３は、同期処理部１０７から圧縮アーカイブ作成スタート通知を受信したら、印刷データ蓄積部１０４に置いてある画像ファイル・マークアップ言語データを取得し圧縮アーカイブを作成する。作成を完了したら、同期処理部１０７に作成完了通知を行う。
印刷データ蓄積部１０４は、レイアウト処理部１０６でリサイズした画像データを蓄積する。また、マークアップ言語変換処理部１０２で作成したマークアップ言語データを保存する。ＧＵＩ１０５は、ユーザーによってデジタルカメラ画像取得部１０１にデジタルカメラ５００から画像を取得する以下の操作が実行される。
【０００８】
デジタルカメラ画像取得部１０１の画像リストを表示する。ユーザーによって画像リストから印刷する画像が選択される。ユーザーによって画像解像度・画像サイズが選択される。ユーザーによって印画紙の背景色が選択される。ユーザーによってフォトフレームが選択される。ユーザーによってページ上の画像配置が指定される。設定を行う際は、常にプレビュー画面が表示されている。設定の変更が発生する度に同期処理部１０７に変更情報を通知する。ユーザーによって印刷実行ボタンが押される。同期処理部１０７に印刷実行を通知する。
レイアウト処理部１０６は、ＧＵＩ１０５で選択された画像をＧＵＩ１０５で選択された画像解像度・画像サイズでリサイズし、印刷データ蓄積部１０４に保存する。設定に関する情報は同期処理部１０７から受信する。
同期処理部１０７は、ＧＵＩ１０５上でユーザーが設定を変更する度に変更情報を受信する。それらの変更情報をその都度レイアウト処理部１０６、マークアップ言語処理部１０２に通知する。マークアップ言語変換処理部１０２、レイアウト処理部１０６がＧＵＩ１０５からの通知によって、データを作成または更新したかどうかを監視する。ＧＵＩ１０５から印刷実行通知を受信したら、マークアップ言語変換処理部１０２、レイアウト処理部１０６のその時点で行われている作業が終了後、圧縮アーカイブ作成部１０３に圧縮アーカイブ作成スタートを通知する。圧縮アーカイブ作成完了通知を受信したら、圧縮アーカイブ作成部１０３にある圧縮アーカイブを画像形成装置４００に送信する。
【０００９】
次にその動作を説明する。ユーザーが画像をデジタルカメラ５００から取得して、デジタルカメラツール１００上で写真アルバムを作成する場合、ＧＵＩ１０５上で入力装置３００を用いて、図示しない写真アルバム作成ボタンを選択する。次にアルバムを作成するための画像をＧＵＩ１０５で表示されたリストの中から選択する。画像の解像度・画像サイズ・印画紙の背景色・フォトフレームを選択する場合、ＧＵＩ１０５上で行う。
上記のような写真アルバムの設定情報は同期処理部１０７がＧＵＩ１０５から受信し、画像ファイル名・レイアウト情報・印画紙の背景色情報・フォトフレーム情報をマークアップ言語変換処理部１０２に渡す。また、画像ファイル名・画像解像度・画像サイズ情報をレイアウト処理部１０６に渡す。その後マークアップ言語変換処理部１０２で印刷データをマークアップ言語に変換し、レイアウト処理部１０６で原画像のリサイズを行う。
作成されたマークアップ言語・リサイズ画像は印刷データ蓄積部１０４で印刷するまで保存する。ＧＵＩ１０５上で、ユーザーによって写真アルバムに関する設定が変更された場合は、その都度同期処理部１０７に通知が送信され、同期処理部１０７は変更情報をマークアップ言語変換処理部１０２及びレイアウト処理部１０６に通知し、マークアップ言語変換処理部１０２及びレイアウト処理部１０６で更新作業を行う。
ＧＵＩ１０５上で、ユーザーによって印刷実行ボタンが押されたら、同期処理部１０７はマークアップ言語変換処理部１０２及びレイアウト処理部１０６の作業が終了していることを確認し、印刷データ蓄積部１０４で待機している印刷データ（マークアップ言語データ＋複数枚のリサイズ画像ファイル）を圧縮アーカイブ作成部１０３に送信し圧縮アーカイブを作成する。圧縮アーカイブ作成１０３から作成完了通知を受信した同期処理部１０７は画像形成装置４００に圧縮アーカイブを送信する。
【００１０】
図２は写真アルバム作成・印刷処理フロー図である。以下ステップに従い説明する。
Ｓ１：写真アルバム作成を選択する場合、Ｓ２の処理を行う。写真アルバム作成を選択しない場合、待機状態に戻る。
Ｓ２：デジタルカメラ５００から画像を取得し、表示する。
Ｓ３：デジタルカメラ５００の画像リストから画像を選択する場合、Ｓ４の処理を行う。デジタルカメラの画像リストから画像を選択しない場合、待機状態に戻る。
Ｓ４：画像の解像度・画像サイズをいくつかの選択肢の中から選択する場合、選択しない場合共にＳ５の処理を行う。
Ｓ５：印画紙の背景色を選択する場合、選択しない場合共にＳ６の処理を行う。
Ｓ６：フォトフレームを選択する場合、選択しない場合共にＳ７の処理を行う。
Ｓ７：画像配置の指定を行う。
Ｓ８：後述する図３の処理を行う。
Ｓ９：設定を変更する場合、Ｓ３の処理に戻る。設定を変更しない場合、Ｓ１０の処理を行う。
Ｓ１０：印刷を選択する場合、Ｓ１１の処理を行う。印刷を選択しない場合、印刷待機状態に戻る。
Ｓ１１：後述する図４の処理を行う。
図３は印刷データ作成処理フロー図である。以下ステップに従い説明する。
Ｓ２１：画像ファイル・解像度・画像サイズ・背景色・フォトフレーム情報をマークアップ言語に変換する。
Ｓ２２：画像ファイル・解像度・画像サイズ情報を画像のリサイズを行う。
Ｓ２３：同期処理を行う。
Ｓ２４：印刷指示を受信するまでリサイズ画像・マークアップ言語データを保持する。
【００１１】
図４は印刷処理フロー図である。以下ステップに従い説明する。
Ｓ３１：印刷データを圧縮アーカイブにする。
Ｓ３２：画像形成装置４００にデータを送信する。
上記実施形態は、デジタルカメラツール１００をＰＣ２００上に実現する場合を想定しているが、デジタルカメラ５００上に実現する場合も含む。
本発明の実施形態によれば、デジタルカメラツール１００を用いて、デジタルカメラ画像を複数枚及びマークアップ言語データをアーカイブで一括送信することによって、ネットワーク負荷を軽減ができ、ユーザーが複数回データを送るために行うボタン操作なども行わずに済みユーザーの作業時間を削減することができる。
また、印刷する画像またはレイアウト情報変更の度にデジタルカメラ画像複数印刷情報とマークアップ言語データの同期をとることで、ユーザーが画像形成装置４００に送信するマークアップ言語データが常に最新かどうかを意識する必要がなくなる。
また、画像解像度・画像サイズを選択できることによって、印画紙の背景色を選択できることによって、フォトフレームを選択できることによって、日付・番号などのデータを追加できることによって、よりユーザーのニーズに合ったツールを提供することができる。
また、ＧＵＩを有することによって、画像解像度・画像サイズ・背景色・フォトフレームの選択、日付・番号のデータ追加の際にユーザーが目視で確認しながら行うことができ、作業効率を上げることが可能である。
【図面の簡単な説明】
【００１２】
【図１】本発明の実施の形態に係るデジタルカメラダイレクト印刷システムの構成図。
【図２】写真アルバム作成・印刷処理フロー図。
【図３】印刷データ作成処理フロー図。
【図４】印刷処理フロー図。
【符号の説明】
【００１３】
１０１  デジタルカメラ画像取得部
１０２  マークアップ言語変換処理部
１０３  圧縮アーカイブ作成部
１０４  印刷データ蓄積部
１０５  ＧＵＩ
１０６  レイアウト処理部
１０７  同期処理部
【図１】
2006190217.tif 000003
【図２】
2006190217.tif 000004
【図３】
2006190217.tif 000005
【図４】
2006190217.tif 000006